(57)【要約】【課題】ブラジャーを上下に摺動した際に、その内面に介装された母乳パッドの上下端縁部が乳房に当接して捲れたり、折れ曲がったりすることはなく、かつ、パッド本体がカップ部内部に安定的に保持されるとともに、製造コストの低減を図ること。【解決手段】第１及び第２止着手段２７，２８が、外面シート１２の外面において、吸液パネル１３上から第１及び第２延出端部１８，１９に延びており、前記第１及び第２止着手段２７，２８の内端縁部２７ａ，２８ａが横軸Ｘの近傍に位置している。【選択図】図１
2008255539.tif 000002
【特許請求の範囲】
【請求項１】
縦軸及び横軸と、肌当接側及び非肌当接側と、前記縦軸の方向に対向して前記横軸の方向に延び、前記非肌当接側に折曲可能な第１及び第２延出端部と前記横軸の方向に対向して前記縦軸の方向に延びる両側部とを有し、前記肌当接側に位置する透液性の内面シートと、前記非肌当接側に位置する不透液性の外面シートと、それらシートの間に介在した吸液性コアを含む吸液パネルとから構成されたパッド本体と、前記外面シートの前記非肌当接側の面において前記縦軸方向に延びるずれ止め用の止着手段とを備える母乳パッドにおいて、
前記止着手段が、前記吸液パネル上から前記第１及び第２延出端部にそれぞれ延びる第１及び第２止着手段から形成されており、前記第１及び第２止着手段の内端縁部が前記横軸の近傍に位置していることを特徴とする前記母乳パッド。
【請求項２】
前記第１及び第２止着手段の内端縁部が前記横軸と交差している請求項１に記載の母乳パッド。
【請求項３】
前記第１及び第２止着手段のうちの少なくともいずれか一方が前記横軸方向へ所与寸法離間した複数の止着部材からなる請求項１又は２に記載の母乳パッド。
【請求項４】
前記第１及び第２延出端部が、前記吸液パネルの上下端縁からそれぞれ前記縦軸の方向へ延出する前記内面シートの延出端部と前記外面シートの延出端部とから形成されたエンドフラップからなり、前記第１延出端部が前記縦軸方向に延びる凸状を有し、前記第２延出端部が前記縦軸の方向へ延び、前記縦軸に関して対称である一対の突出部からなる二股状を有しており、前記第１止着手段が前記縦軸上において前記第１延出端部の凸部に延びた止着部材からなり、前記第２止着手段が前記吸液パネルの両側縁部から前記第２延出端部の突出部に延びている一対の止着部材からなる請求項１〜３のいずれかに記載の母乳パッド。
【請求項５】
前記パッド本体の両側部が、前記吸液パネルの両側縁からそれぞれ前記横軸の方向へ延出する前記内面シートの延出側縁部と前記外面シートの延出側縁部とから形成されたサイドフラップからなり、前記縦軸方向に延びる弾性伸縮部材が、前記サイドフラップにおいて伸長下に固定されている請求項１〜４のいずれかに記載の母乳パッド。
【請求項６】
前記弾性伸縮部材が前記外面シートの延出側縁部の外側縁に沿って伸長下に固定された第１弾性伸縮部材と、前記外面シートにおいて前記吸液パネルの両側縁に沿って伸長下に固定された第２弾性伸縮部材とから構成されている請求項５に記載の母乳パッド。
【請求項７】
前記第２止着手段が、前記第２弾性伸縮部材上に延びている請求項５又は６に記載の母乳パッド。
【請求項８】
前記パッド本体の側縁と前記第２止着手段の外側縁との前記横軸の方向における離間寸法が、５ｍｍ〜１５ｍｍである請求項４に記載の母乳パッド。
【請求項９】
前記第１及び第２延出端部がそれらを止脱するための摘持部を有する請求項１〜８のいずれかに記載の母乳パッド。
【請求項１０】
複数の前記母乳パッドを構成する構成材料を積層した連続複合ウェブを形成する工程と、前記連続複合ウェブを前記第１及び第２延出縁部が前記連続複合ウェブの移動方向に互いに対向隣接する境界ラインに沿ってカットする工程とを含む請求項１〜９のいずれかに記載の母乳パッドの製造方法。
【発明の詳細な説明】
【技術分野】
【０００１】
この発明は、ブラジャーなどの内側に装着する母乳パッドおよびその製造方法に関する。
【背景技術】
【０００２】
従来、吸液性コアを含む吸液層と不透液性の外面シートとから構成され、外面シートの外面に、ブラジャーや衣服に止着するための止着手段を有する母乳パッドは知られている。例えば、特許文献１は、ブラジャーの外面に折り返し可能な、パッド本体から上下方向へ延びる止着部を有する母乳パッドを開示している。
【特許文献１】実開平６−２０４１１号公報
【発明の開示】
【発明が解決しようとする課題】
【０００３】
通常、授乳期においては、一日のうちに幾度となく授乳をするので、授乳をする度ごとにブラジャーと母乳パッドとを身体から取り外すことは手間が掛かり煩わしい。そこで、母乳パッドをブラジャーのカップ部の内面に止着した状態のままブラジャーを上方又は下方にずらして乳房を露出し、授乳をすることがある。その際、従来、使用されている止着部がパッド本体の中央域に設けられている母乳パッド又は止着部がパッド本体から上方又は下方へ突出した突出部に設けられている母乳パッドを使用した場合には、授乳後、ブラジャーを元の位置に戻す際に、ブラジャーのカップ部の外面に固定されていない側の端縁部が乳房に当接して捲れたり、折れて皺が寄ってしまい、装着者に違和感を与えるのみならず、母乳漏れの原因ともなっていた。
【０００４】
一方、特許文献１に開示されている母乳パッドによれば、図７に示されているとおり、パッド本体１１０から上下方向へツメ部１１５が延出しており、ツメ部１１５をブラジャーのカップ部の外面へ向かって折り返し、その表面に塗布された接着剤１１４を介してブラジャーのカップ部の外面に止着することによって、パッド本体１１０の上下部が固定されるので、授乳後、ブラジャーを元の位置に戻す際に、パッド本体１１０の上下端縁部が乳房に当接して捲れたり、折れて皺が寄ったりすることはない。
【０００５】
しかし、たとえこのようにパッド本体１１０の上下端縁部をツメ部１１５を介してブラジャーのカップ部の外面に固定した場合であっても、上下端縁部全体がしっかりと固定されているとはいえず、上下にずらしたブラジャーを元の位置に戻す際にツメ部１１５が延びている部位以外の他の部位が乳房に当接して捲れ上がり、ツメ部１１５の止着が解除され、いきおい母乳パッド１０１がブラジャーから脱落してしまうおそれがある。
【０００６】
また、ツメ部１１５の折曲部１３２はブラジャーのカップ部の外面に折り返すことが可能な程度に高度の可撓性を有するものであり、かつ、パッド本体１１０がブラジャーのカップ部の内面に固定されていないことから、パッド本体１１０がツメ部１１５の表面の一部に塗布された接着剤１１４を介してのみ吊持されている状態となるので、母乳パッド１０１の摺動が繰り返されることによって、折曲部１３２が捩れ、ブラジャーのカップ部の内部でパッド本体１１０の位置がずれたり、反転したりするおそれがある。
【０００７】
さらに、この種の着用物品においては、製造の簡便性から、構成材料を積層した連続複合ウェブを製造機械方向へ移動させながら、所望の形状にカットして製品を製造する製造工程が一般的であるが、従来の母乳パッド１０１を製造する場合には、製品の形状にカットする際に、ツメ部１１５の周辺域に材料のロスが生じ、製造コスト上の生産性が良くない。
【０００８】
そこで、この発明は以上のような課題を解決するためになされたものであって、この発明のその他の目的は、以下のこの発明の説明から理解されうるものである。
【課題を解決するための手段】
【０００９】
前記課題を解決するためのこの発明は、縦軸及び横軸と、肌当接側及び非肌当接側と、前記縦軸の方向に対向して前記横軸の方向に延び、前記非肌当接側に折曲可能な第１及び第２延出端部と前記横軸の方向に対向して前記縦軸の方向に延びる両側部とを有し、前記肌当接側に位置する透液性の内面シートと、前記非肌当接側に位置する不透液性の外面シートと、それらシートの間に介在した吸液性コアを含む吸液パネルとから構成されたパッド本体と、前記外面シートの前記非肌当接側の面において前記縦軸方向に延びるずれ止め用の止着手段とを備える母乳パッドの改良に係る。
【００１０】
この発明の特徴とするところは、前記止着手段が、前記吸液パネル上から前記第１及び第２延出端部にそれぞれ延びる第１及び第２止着手段から形成されており、前記第１及び第２止着手段の内端縁部が前記横軸の近傍に位置していることにある。
【００１１】
この発明は、下記の好ましい実施の形態を含んでいる。
【００１２】
前記第１及び第２止着手段の内端縁部が前記横軸と交差している形態。
【００１３】
前記第１及び第２止着手段のうちの少なくともいずれか一方が前記横軸方向へ所与寸法離間した複数の止着部材からなる形態。
【００１４】
前記第１及び第２延出端部が、前記吸液パネルの上下端縁からそれぞれ前記縦軸の方向へ延出する前記内面シートの延出端部と前記外面シートの延出端部とから形成されたエンドフラップからなり、前記第１延出端部が前記縦軸方向に延びる凸状を有し、前記第２延出端部が前記縦軸の方向へ延び、前記縦軸に関して対称である一対の突出部からなる二股状を有しており、前記第１止着手段が前記縦軸上において前記第１延出端部の凸部に延びた止着部材からなり、前記第２止着手段が前記吸液パネルの両側縁部から前記第２延出端部の突出部に延びている一対の止着部材からなる形態。
【００１５】
前記パッド本体の両側部が、前記吸液パネルの両側縁からそれぞれ前記横軸の方向へ延出する前記内面シートの延出側縁部と前記外面シートの延出側縁部とから形成されたサイドフラップからなり、前記縦軸方向に延びる弾性伸縮部材が、前記サイドフラップにおいて伸長下に固定されている形態。
【００１６】
前記弾性伸縮部材が前記外面シートの延出側縁部の外側縁に沿って伸長下に固定された第１弾性伸縮部材と、前記外面シートにおいて前記吸液パネルの両側縁に沿って伸長下に固定された第２弾性伸縮部材とから構成されている形態。
【００１７】
前記第２止着手段が、前記第２弾性伸縮部材上に延びている形態。
【００１８】
前記パッド本体の側縁と前記第２止着手段の外側縁との前記横軸の方向における離間寸法が、５ｍｍ〜１５ｍｍである形態。
【００１９】
前記第１及び第２延出端部がそれらを止脱するための摘持部を有する形態。
【００２０】
複数の前記母乳パッドを構成する構成材料を積層した連続複合ウェブを形成する工程と、前記連続複合ウェブを前記第１及び第２延出縁部が前記連続複合ウェブの移動方向に互いに対向隣接する境界ラインに沿ってカットする工程とを含む母乳パッドの製造方法。
【発明の効果】
【００２１】
この発明に係る母乳パッドによれば、第１及び第２止着手段が吸液パネル上から第１及び第２延出端部に延び、止着手段の内端縁部が母乳パッドの横軸の近傍に位置していることから、第１及び第２延出端部のみならずパッド本体全体がブラジャーのカップ部内面にしっかりと固定されているので、授乳の前後にブラジャーを上下に摺動し、第１又は第２延出端部が乳房に当接しても、第１又は第２延出端部が捲れたり、折れ曲がったりするおそれはなく、また、母乳パッド本体がブラジャーのカップ部内部で位置ずれを生じるおそれはない。
【００２２】
止着手段の内端縁部が横軸と交差している実施の形態によれば、母乳パッド本体の中央部が複数の止着手段によって固定されるので、母乳パッド本体をブラジャーのカップ部内面により確実に固定することができる。
【００２３】
サイドフラップにおいて弾性伸縮部材が縦方向へ延びている実施の形態によれば、パッド本体は乳房の形状に適合した立体的形状を呈することができる。
【００２４】
外面シートの側縁部に第１弾性伸縮部材が配置されており、第２弾性伸縮部材が吸液性コアの両側縁部に沿って配置されている実施の形態によれば、パッド本体からの母乳の横漏れを効果的に防止することができ、また、サイドフラップを形成するシート部材に比して高度の可撓性を有する吸液性コアの存在領域をも乳房の形状に沿った立体的形状にすることができる。
【００２５】
第２止着手段が第２弾性伸縮部材上に延びている実施の形態によれば、第２弾性伸縮部材の収縮力によって第２止着手段の止着強度を向上させることができる。
【００２６】
第１及び／又は第２延出端部に摘持部が設けられている実施の形態によれば、指が第１及び第２止着手段に触れることなく、第１及び／又は第２延出端部の止脱を容易に行うことができる。
【００２７】
複数の母乳パッドを構成する構成材料を積層した連続複合ウェブを形成する工程と、連続複合ウェブを第１及び第２延出縁部が連続複合ウェブの移動方向に互いに対向隣接する境界ラインに沿ってカットする工程とを含む製造方法の実施の形態によれば、一度のカットによって第１及び第２延出縁部の輪郭縁が形成されるので製造工程が簡便であり、また、材料ロスを生じることもないので、製造コスト上の生産性も良い。
【発明を実施するための最良の形態】
【００２８】
添付図面を参照して、この発明に係る母乳パッドの実施の形態を説明すると、以下のとおりである。
【００２９】
図１は弾性伸縮部材が収縮した状態の母乳パッドの部分破断斜視図、図２は図１の横軸Ｘに沿う模式的断面図、図３は母乳パッドを伸展してその内面からみた平面図をそれぞれ示す。
【００３０】
図１、２及び３に示すように、母乳パッド１は、縦軸Ｙ及び横軸Ｘと、肌当接側及び非肌当接側とを有し、肌当接側に位置する透液性の内面シート１１と、非肌当接側に位置する不透液性の外面シート１２と、これらのシートの間に介在する吸液パネル１３とから構成されたパッド本体１０と、外面シート１２の非肌当接側の面において縦軸Ｙの方向に延びるずれ止め用の第１及び第２止着手段２７，２８とを備える。
【００３１】
パッド本体１０は、吸液パネル１３の外周縁から延出する外面シート１２と内面シート１１の各部分によって形成されたエンドフラップ１５（以下、延出端部という。）とサイドフラップ１６（以下、両側部という。）とを有し、延出端部１５と両側部１６とはそれぞれ、外面シート１２の延出端縁部１２ａと内面シート１１の延出端縁部１１ａ、外面シート１２の延出側縁部１２ｂと内面シート１１の延出側縁部１１ｂとから形成されている。延出端部１５は、吸液パネル１３の端縁１３ａから縦軸Ｙの上方向へ延びて略凸状を有する第１延出端部１８と、吸液パネル１３の端縁１３ａから縦軸Ｙの下方向へ延び、前記縦軸Ｙに関して対称である一対の突出部からなる二股状を有する第２延出端部１９とから形成されている。第１延出端部１８の輪郭縁の凸形状と、第２延出縁端部１９の間に位置するこれらの内縁の凹形状とは、前者を後者に嵌め合わせると前者が完全に埋められるようにほぼ同じに形成されている。
【００３２】
吸液パネル１３は、フラッフパルプを主材としこれに高吸収性ポリマー粒子を混合して形成され、オプションとして熱可塑性合成ステープルファイバーを混合した、吸液性コア２０と、その全体を被包する透液性の保形シート２１とによって形成されている。保形シート２１はティッシュペーパーなどから作られ、保形シート２１に間欠的に塗布されたホットメルト接着剤（図示せず）を介して吸液性コア２０に対する被覆状態を維持し、吸液性コア２０を保形するとともに、吸液性コア２０の材料、特にポリマー粒子の脱落を防止している。
【００３３】
内面シート１１は、肌当接側に位置する、好ましくは重量１０〜４０ｇ／ｍ２の熱可塑性合成繊維不織布又は開孔プラスチックフィルム、好ましくはスパンボンドやエアースルー等の繊維不織布から作られ、内面シート１１に間欠的に塗布されたホットメルト接着剤２２を介して吸液パネル１３に対する被覆状態を維持している。内面シート１１はこれら繊維不織布及び開孔プラスチックフィルムの複数層から形成されていてもよい。内面シート１１の側縁１１ｂとホットメルト接着剤２２の塗布領域の側縁部２２ｂとは、吸液パネル１３の側縁１３ｂから横軸Ｘの方向へ延出している。
【００３４】
外面シート１２は、吸液パネル１３に対向して非肌当接側に位置する、好ましくは重量１０〜４０ｇ／ｍ２の透湿性のプラスチックフィルム２３と、プラスチックフィルム２３及び吸液パネル１３の外周縁部に位置してパッド本体１０の外面を形成してブラジャーに対向する、好ましくは重量１０〜４０ｇ／ｍ２の熱可塑性合成繊維の繊維不織布２４、好ましくはスパンボンド・メルトブロー・スパンボンド（ＳＭＳ）のラミネート繊維不織布等とから構成され、プラスチックフィルム２３と熱可塑性合成繊維の繊維不織布２４とはプラスチックフィルム２３の周縁部においてホットメルト接着剤（図示せず）によって接合されている。
【００３５】
繊維不織布２４の両側縁部は、パッド本体１０の肌当接側へ折り返されてスリーブ２５を形成している。スリーブ２５の両側縁部は、吸液パネル１３の両側縁１３ｂから横軸Ｘの方向へ内面シート１１の両側縁部１１ｂとほぼ同寸法で延出しており、スリーブ２５の内部には縦軸Ｙの方向へ延びる弾性伸縮部材２６が伸長下に固定されている。具体的にいえば、弾性伸縮部材２６は、天然又は合成ゴムから作られ、好ましくは引張力１１５〜５００ｍＮを有し、横軸Ｘの方向に所与寸法離間している第１及び第２弾性伸縮部材２６ａ，２６ｂとから構成されており、第１弾性伸縮部材２６ａはスリーブ２５の外側縁部２５ｂに沿って縦軸Ｙの方向へ延び、第２弾性伸縮部材２６ｂは第１弾性伸縮部材２６ａと並行して離間し吸液パネル１３の両側縁１３ｂに沿って縦軸Ｙの方向へ延びており、それぞれ伸長下にホットメルト接着剤（図示せず）を介して固定されている。
【００３６】
第１弾性伸縮部材２６ａは、その収縮力によって、パッド本体１０の両側部１６を装着者の肌に密着させるように、かつ、第２弾性伸縮部材２６ｂは、両側部１６を形成する高度の可撓性を有する外面シート１２及び内面シート１１に比較して剛性の高い吸液パネル１３をそれらシート１１，１２とともに肌当接面が凹面状となるように湾曲させるので、パッド本体１０は乳房の形状に適合した立体的形状を呈している。このように、第１及び第２弾性伸縮部材２６ａ，２６ｂの収縮力によって、パッド本体１０が乳房にフィットするとともに、その両側部１６から母乳が横漏れするおそれもなく、また、内面シート１１の側縁部１１ｂは、直接的に第１及び第２弾性伸縮部材２６ａ，２６ｂの収縮力の影響を受けないので、妄りにギャザーを生じさせたり、装着者の肌に圧迫マークを付けたりして、肌に違和感を与えるおそれもない。なお、図１に示されているとおり、第１弾性伸縮部材２６ａの縦軸Ｙ方向の寸法は、第２弾性伸縮部材２６ｂの縦軸Ｙ方向の寸法とほぼ同一であるが、第１弾性伸縮部材２６ａがパッド本体１０の両側部１６の縦軸Ｙの方向の全長に渡って延びていてもよい。その場合には、ブラジャーの外面に向かって折り曲げられた第１及び第２延出端部１８，１９に第１弾性伸縮部材２６ａの収縮力が作用するので、止着手段２７，２８と協働してその折曲状態が解除されるのをより有効に防止することができる。
【００３７】
図１を再び参照すると、既述のとおり、外面シート１２の外面には、母乳パッド１をブラジャーや衣服に貼りつけるための止着部材である感圧性接着剤からなる帯状の第１及び第２止着手段２７，２８が、縦軸方向に延びている。第１及び第２止着手段２７，２８は、それぞれ縦軸Ｙ上における第１延出端部１８、吸液パネル１３の両側縁部から第２延出端部１９の各突出部に延びており、その外面はセパレータ３０によって被覆保護されている。なお、止着手段２７，２８は止着部材として接着剤ではなく、ブラジャーの外面が不織布で形成されている場合には、その外面に直接止着可能なメカニカルファスナのフック部材から形成されていてもよい。その場合には、装着時にセパレータを剥離する手間を要さず、またセパレータが不要となるので製造コストの低減を図ることができる。
【００３８】
図４は、母乳パッド１の使用状態を示す図である。
【００３９】
既述のとおり、第１延出端部１８は吸液パネル１３の端縁１３ａから縦軸Ｙの方向へ延びる凸状を有し、第２延出端部１９は、吸液パネル１３の端縁１３ａから縦軸Ｙの方向へ延び、前記縦軸Ｙに関して対称である一対の突出部からなる二股状を有しており、第１及び第２止着手段２７，２８がそれぞれ第１及び第２延出端部１８，１９に延びているので、パッド本体１０をブラジャー内部に安定的に保持することができ、ブラジャーを上下にずらした後に元の位置に戻す際にも、第１及び／又は第２延出端部１８，１９が乳房に当接して捲れたり、折れ曲がったりするおそれはなく、また、折曲部位３２が捩れてパッド本体１０が反転したりするおそれはない。
【００４０】
すなわち、通常、授乳期においては、母乳パッドをブラジャーの内面に止着した状態のままブラジャーを上下にずらして乳房を露出して授乳し、授乳を終えた後に、再びブラジャーを元の位置に戻すという操作を繰り返すことがある。これは、授乳をする度にブラジャーを身体から取り外すことは手間が掛かり煩わしく、また、母乳パッドを授乳の度にブラジャーから外し、授乳を終えた後に再度その内面に止着する場合には、感圧性接着剤等からなる止着手段の止着力が低下し、装着中に母乳パッドがブラジャーから脱落し易くなるおそれがあるからである。
【００４１】
したがって、従来使用されているパッド本体の上下端部のいずれかにのみ止着部材を有し、それをブラジャーのカップ部の外面へ折り返して止着する母乳パッドを用いた場合には、止着部材が配置されていない側の端縁部の側へブラジャーをずらしてそれを元の位置に戻す際に、そのパッド本体の端縁部が装着者の乳房に当接して内側へ捲れたり、折れ曲がったりする等して、装着者の肌に違和感を与えるのみならず、そこから母乳が外部へ漏出してしまうおそれがある。
【００４２】
このような場合に、図７に示されている従来の母乳パッド１０１を用いた場合には、パッド本体１１０の上下端部から、その表面に接着剤１１４を塗布したツメ部１１５が上下方向へ突出しており、ツメ部１１５をブラジャーのカップ部の外面に向かって折り曲げて止着することによって、パッド本体１１０の上下端部が固定されるので、ブラジャーを上下に摺動しても、パッド本体１１０の上下端縁部が妄りに内側に捲れたり、折れ曲がったりするおそれはない。
【００４３】
しかし、パッド本体１１０は、突出したツメ部１１５の表面の一部に塗布された接着剤１１４を介してのみブラジャーのカップ部の外面に止着されているので、いわばツメ部１１５の接着剤１１４を介してのみパッド本体１１０が吊持されている状態となり、ブラジャーのカップ部の内面に当接して安定的に固定されているとはいえず、上下にずらしたブラジャーを元の位置に戻す際にツメ部１１５が延びている部位以外の他のパッド本体１１０の端縁部の部位が乳房に当接し、ブラジャーのカップ部の内部でパッド本体１１０の位置がずれたり、ツメ部１１５の折曲部１３２が捩れてパッド本体１１０が反転してしまったり、その反動で、ツメ部１１５がいきおいブラジャーのカップ部の外面から剥離してしまうおそれがある。また、ツメ部１１５の折曲部１３２はシート部材からなり、比較的に高度の可撓性を有するものであるので、ツメ部１１５を内側に折り曲げた状態のまま母乳パッド１を包装する場合には、折曲部１３２に折りくせがつき、セパレータを剥がして母乳パッドを装着する際に、折曲部が折りくせによって母乳パッド本体１１０へ向かって内側に折れ曲がり、いきおい母乳パッド本体１１０に接着剤１１４が貼着してしまうおそれがある。
【００４４】
一方、本発明の母乳パッド１によれば、図４に示されているとおり、第１及び第２止着手段２７，２８が、それぞれ吸液パネル１３上から第１及び第２延出端部１８，１９に延びており、それら止着手段２７，２８の内端縁２７ａ，２８ａ，２８ａが前記横軸Ｘの近傍に位置し、第１及び第２延出端部１８，１９がブラジャーのカップ部３１の外面に向かって折り返されて、これら止着手段２７，２８を介してその外面に固着され、かつ、パッド本体１０が吸液パネル１３上に位置する止着手段２７，２８を介してブラジャーのカップ部３１の内面に固着されている。したがって、第１及び第２延出端部１８，１９が第１及び第２止着手段２７，２８を介してブラジャーのカップ部３１の上下端縁部の内外面に安定的に固着されているので、ブラジャーを上下に繰り返し摺動した場合であっても、それら第１及び第２延出端部１８，１９が乳房に当接して捲れたり、折れ曲がったりするおそれはない。特に、二股状の第２延出端部１９は、その突出部に延びる一対の止着部材からなる第２止着手段２８によって固着されているので、ブラジャーのカップ部３１により確実に固定されている。
【００４５】
また、折曲部位３２は従来の母乳パッド１１０の折曲部１３２と同様に、第１及び第２延出端部１８，１９をブラジャーのカップ部３１の外面に折り返せる程度の可撓性を有するものではあるが、折曲部位３２には第１及び第２止着手段２７，２８とそれを被覆保護するセパレータ３０が縦軸Ｙの方向へ延びていることから、使用前の状態においては一定程度の剛性を有するものであり、第１及び第２延出端部１８，１９を内側へ折り返して母乳パッド１を包装した場合であっても、シート部材のみからなる従来の母乳パッド１０１の折曲部１３２のように折曲部位３２に折りくせがつくことはなく、母乳パッド１の装着時に不用意に第１及び第２延出端部１８，１９がパッド本体１０へ向かって折れ曲がり、止着手段２７，２８が母乳パッド本体１０に貼着してしまうおそれはない。
【００４６】
このように、パッド本体１０がブラジャーのカップ部３１の内面に安定的に保持されるためには、第１及び第２止着手段２７，２８の内端部２７ａ，２８ａ，２８ａが母乳パッド１の横軸Ｘと交差していることが好ましい。内端部２７ａ，２８ａ，２８ａが横軸Ｘと交差している場合には、それらが協働してパッド本体１０の中央部をブラジャーのカップ部３１の内面に固定しているので、たとえ、内端部２７ａ，２８ａ，２８ａのうちのいずれか１つにそれを剥離しようとする力が働いたとしても、他の内端部が固着されていることから、パッド本体１０の中央部が大きくずれるおそれはない。なお、第１及び第２延出端部１８，１９は、ブラジャーのカップ部３１の外面に折曲可能な限りにおいては、このように凸状、二股状のものではなく、円形、矩形のものであってもよい。ただし、第１及び第２止着手段２７，２８が延びていないフラップ部分が多くなると、ブラジャーのカップ部３１の外面に折り返されたその非止着状態のフラップが衣服に引っ掛かり、第１及び第２延出端部１８，１９がブラジャーのカップ部３１の外面から剥がれてしまうおそれがある。
【００４７】
図３に示されているとおり、第１止着手段２７は縦軸Ｙ上に位置しているが、第１延出端部１８をブラジャーのカップ部３１の外面に止着する限りにおいては、縦軸Ｙの近傍に位置していればよい。また、第２止着手段２８は、縦軸Ｙに関して左右対称に位置しているが、第２延出端部１９をブラジャーのカップ部３１の外面に止着する限りにおいては、左右対称でなくてもよい。ただし、第２止着手段２８の外側縁２８ｂは、母乳パッド本体１０の両側縁１０ｂから所与寸法離間していることが好ましい。仮に、第２止着手段２８が母乳パッド本体１０の両側縁１０ｂに沿って配置されている場合には、第２止着手段２８の大部分がシート部材１１，１２からなるフラップ部分に位置することになるので、フラップ部分の有する比較的に高い可撓性によって第２止着手段２８が剥がれやすくなり、パッド本体１０を安定的に保持することができなくなるからである。例えば、パッド本体１０の横軸Ｘの方向における寸法Ｗが約１２０ｍｍの場合において、パッド本体１０の側縁１０ｂと第２止着手段２８の外側縁２８ｂとの横軸の方向における離間寸法Ｍは、５ｍｍ〜１５ｍｍであることが好ましい。
【００４８】
さらに、第２止着手段２８は第２弾性伸縮部材２６ｂ上に位置していることが好ましい。この場合には、第２弾性伸縮部材２６ｂの収縮力によって、第２止着手段２８がブラジャーのカップ部３１の外面に押圧されるので、第２止着手段２８の止着強度を向上させることができるからである。
【００４９】
図５は、母乳パッド１の製造工程の一例において製造される帯状の連続複合ウェブ３４を示す図である。
【００５０】
帯状の連続複合ウェブ３４は、内面シート１１を形成するシート材料を機械方向へ流し、吸液パネル１３、弾性伸縮部材２６を被覆する外面シート１２、止着手段２７，２８とその外面を保護するセパレータ３０を順に積層して形成されたものであって、この連続複合ウェブ３４を形成する工程の後、連続複合ウェブ３４をカットラインＬ１〜Ｌ３に沿って切断することによって、個々の母乳パッド１を製造することができる。このように連続して製造する工程において従来の母乳パッド１０１を製造する場合には、ツメ部１１５を形成するためにその周辺部位をカットしなければならないので、シート材料のロスを生じるが、本件発明では、第１延出端部１８の凸状の形状と第２延出端部１９の二股状の形状とがカットラインＬ１〜Ｌ３による切断によって同時に形成され、母乳パッド１を連続して製造することができるので、シート材料のロスが発生せず、従来の母乳パッド１０１に比して、製造コストを低く抑えることができる。
【００５１】
図６は、母乳パッド１の他の実施の態様を示す図３と同様の平面図である。
【００５２】
この実施の態様は、図３に示された実施の態様と基本的構成において同一の部分が多く、説明の重複を避けるため、図３の実施の態様と相違する点についてのみ記述する。図６（ａ）は、第１及び第２延出端部１８，１９が、対向するパッド本体１０のそれぞれの側縁部１６から縦軸Ｙの方向へ延出して形成された凸形状であり、（ｂ）では、第１及び第２延出端部１８，１９の縦軸Ｙ上にそれぞれ一対の小突起状、円形状の摘持部３５，３６が設けられている。（ｂ）の実施の態様においては、第１及び第２延出端部１８，１９を止脱する際に、摘持部３５，３６を指で摘持して操作することができるので、第１及び第２止着手段２７，２８に指が触れるおそれはなく、スムーズに止脱操作を行うことができる。なお、摘持部３５，３６は、止脱時に、第１及び第２止着手段２７，２８に指が触れない限りにおいては、縦軸Ｙ上に位置していなくてもよい。
【図面の簡単な説明】
【００５３】
【図１】母乳パッドを非肌当接側から見た部分破断斜視図。
【図２】図１のＩＩ−ＩＩ線に沿う模式的横断面図。
【図３】母乳パッドの平面図。
【図４】母乳パッドの使用状態を示す図。
【図５】母乳パッドの製造工程の一例において製造される連続複合ウェブを示す図。
【図６】母乳パッドの他の実施の態様を示す図。
【図７】従来の母乳パッドの平面図。
【符号の説明】
【００５４】
１      母乳パッド
１０    パッド本体
１１    内面シート
１２    外面シート
１３    吸液パネル
１５    エンドフラップ
１６    サイドフラップ
１８    第１延出端部
１９    第２延出端部
２０    吸液性コア
２６    弾性伸縮部材
２６ａ  第１弾性伸縮部材
２６ｂ  第２弾性伸縮部材
２７    第１止着手段
２８    第２止着手段
３４    連続複合ウェブ
Ｘ      横軸
Ｙ      縦軸
【図１】
2008255539.tif 000003
【図２】
2008255539.tif 000004
【図３】
2008255539.tif 000005
【図４】
2008255539.tif 000006
【図５】
2008255539.tif 000007
【図６】
2008255539.tif 000008
【図７】
2008255539.tif 000009